(57)【要約】【課題】布線図にワイヤハーネスの案内治具を位置決めする位置合わせ線等の表示がなくとも、布線図自体への直接の加工を要することなく、案内治具を目的とする位置に容易に配置することを可能とする、新規な構造の案内治具の位置決め部材を提供すること。【解決手段】ワイヤハーネスの案内治具１４の台座３８の外周縁部４４に沿う形状を有し、該台座３８を係止して布線図１２上に位置決めする本体部１６と、該本体部１６を該布線図１２に取り外し可能に固着する固着手段２２とを設けて位置決め部材１０を形成した。【選択図】図１
2014002912.tif 000002
【特許請求の範囲】
【請求項１】
布線図上に配置される台座を備えたワイヤハーネスの案内治具を前記布線図上に位置決めするために用いられる案内治具の位置決め部材において、
前記台座の外周縁部に沿う形状を有し該台座を係止して前記布線図上に位置決めする本体部と、
該本体部を前記布線図に取り外し可能に固着する固着手段とを有する
ことを特徴とする案内治具の位置決め部材。
【請求項２】
前記本体部がシート形状を有している
請求項１に記載の案内治具の位置決め部材。
【請求項３】
前記本体部が、前記案内治具の台座の外周縁部の全周に亘って沿う枠形状を有している
請求項１又は２に記載の案内治具の位置決め部材。
【請求項４】
前記本体部が粘着シートから形成されており、該粘着シートの粘着剤によって前記固着手段が構成されている
請求項１〜３の何れか１項に記載の案内治具の位置決め部材。
【請求項５】
前記粘着シートが透明である
請求項４に記載の案内治具の位置決め部材。
【請求項６】
前記粘着シートに位置決め表示が設けられている
請求項４又は５に記載の案内治具の位置決め部材。
【請求項７】
前記本体部が磁石から形成されており、布線図が設けられた磁性体からなる図板本体に磁着されることによって前記固着手段が構成されている
請求項１〜３の何れか１項に記載の案内治具の位置決め部材。
【請求項８】
前記本体部が、前記案内治具の台座の外周縁部の全周に亘って沿う枠形状を有していると共に、前記本体部には、複数の位置決め用糸が前記本体部の中心で交差して架設されている
請求項７に記載の案内治具の位置決め部材。
【発明の詳細な説明】
【技術分野】
【０００１】
本発明は、ワイヤハーネスの案内治具を布線図上に位置決めするために用いられる、案内治具の位置決め部材に関するものである。
【背景技術】
【０００２】
従来から、自動車や航空機等に用いられるワイヤハーネスは、例えば特開平２−６５００８号公報（特許文献１）に記載されているように、ワイヤハーネスを引っ掛けて案内するガイド部を備えた案内治具を布線図上の所定の位置に配置して、案内治具でワイヤハーネスを案内しつつ布線図に沿って配索することで、所望の形状に形成される。
【０００３】
ところで、ワイヤハーネスは、自動車や航空機の内部に多数配索されるものであり、多種のものが製造される。それ故、特許文献１のように、布線図が設けられた図板本体に案内治具をボルト締結等で固定する構造では、異なるワイヤハーネスを製造する度に、案内治具の配置位置の変更に手間を要するという問題があった。特に、多品種少量生産の場合には、案内治具の配置替えの頻度が高くなることから、製造効率の低下を招く大きな要因となるおそれがあった。
【０００４】
そこで、実開平４−１０２５１４号公報（特許文献２）には、ガイド部を支持する台座を備え、該台座に電磁石を設けた案内治具が提案されている。このような案内治具を用いれば、布線図が設けられた図板本体に台座を磁着することによって、布線図への着脱を容易且つ速やかに行なうことが出来る。
【０００５】
ところが、特許文献２に記載の如き案内治具は、台座で布線図が隠されてしまうことから、ガイド部を布線図上の目的とする位置に配設することが困難になるという問題があった。
【０００６】
このような問題に対処するために、台座の上面に位置決め用のマーキング線を書き込むと共に、布線図に位置合わせ線を書き込んで、台座のマーキング線と布線図の位置合わせ線を合わせることで案内治具を目的の位置に配置することが考えられる。しかし、このような方法では、布線図に位置合わせ線を追加しなければならないことから、布線図の作成工数の増加を招く。また、布線図が新規に製造されるものではなく、既に使用されているものの場合には、布線図のデータを改良するか、布線図の製造後に手書きで位置合わせ線を追加する必要がある。更にまた、例えば製造後のワイヤハーネスを検査するために、布線図を再び用いる場合等があり、布線図自体に不可逆的な加工を施すことが許されない場合があることから、新たな方策が求められていた。
【先行技術文献】
【特許文献】
【０００７】
【特許文献１】特開平２−６５００８号公報
【特許文献２】実開平４−１０２５１４号公報
【発明の概要】
【発明が解決しようとする課題】
【０００８】
本発明は、上述の事情を背景に為されたものであって、その解決課題は、布線図にワイヤハーネスの案内治具を位置決めする位置合わせ線等の表示がなくとも、布線図自体への直接の加工を要することなく、案内治具を目的とする位置に容易に配置することを可能とする、新規な構造の案内治具の位置決め部材を提供することにある。
【課題を解決するための手段】
【０００９】
本発明の第一の態様は、布線図上に配置される台座を備えたワイヤハーネスの案内治具を前記布線図上に位置決めするために用いられる案内治具の位置決め部材において、前記台座の外周縁部に沿う形状を有し該台座を係止して前記布線図上に位置決めする本体部と、該本体部を前記布線図に取り外し可能に固着する固着手段とを有することを、特徴とする。
【００１０】
本発明に従う位置決め部材においては、本体部を固着手段で布線図に固着すると共に、本体部で案内治具の台座を係止することによって、案内治具を布線図上の目的とする位置に配設することが出来る。なお、本体部は、厚肉のブロック形状でも良いし、より薄肉の板形状や、更に薄肉のシート形状等でも良い。従って、本体部による台座の係止は、本体部が厚肉のブロック形状で台座と広範囲に接触するものでも良いし、本体部が薄肉のシート形状で布線図から僅かに突出して、作業者が台座を布線図上でスライドさせて本体部に接触した際に僅かな引っ掛かり感を与える程度のものでも良い。
【００１１】
そして、固着手段によって、本体部が布線図に対して取り外し可能に固着されている。なお、固着手段としては、粘着剤や磁石等が採用可能である。これにより、布線図自体に直接の加工を施すことなく本体部を固着することが出来て、案内治具の容易な位置決めを可能とすることが出来る。そして、使用後は位置決め部材を布線図から取り外すことによって、布線図を元に戻すことが出来る。
【００１２】
なお、本体部は、台座の外周縁部の全周に亘って沿う形状でも良いし、台座の外周縁部に部分的に沿う形状でも良い。従って、例えば、台座の外周縁部に部分的に沿う形状の複数の位置決め部材で案内治具を位置決めする等しても良い。
【００１３】
本発明の第二の態様は、前記第一の態様に記載のものにおいて、前記本体部がシート形状を有しているものである。
【００１４】
本態様におけるシート形状とは、撓み変形が可能な程度に薄肉の形状をいう。本態様によれば、布線図からの本体部の突出寸法が抑えられることから、本体部で布線図が隠される領域を小さくすることが出来て、布線図の視認性を確保することが出来る。更に、薄肉であることから、加工も容易で安価に製造することが出来る。更にまた、固着手段が磁石などのように、繰り返しの固着が可能な場合には、位置決め部材の未使用時には複数枚を重ねてコンパクトに保管することが出来る。
【００１５】
本発明の第三の態様は、前記第一又は第二の態様に記載のものにおいて、前記本体部が、前記案内治具の台座の外周縁部の全周に亘って沿う枠形状を有しているものである。
【００１６】
本態様においては、本体部の枠内に案内治具の台座を位置合わせすることによって、案内治具を容易に位置決めすることが出来る。また、本体部が枠形状を有していることから、布線図上において位置決め部材を容易に視認することが出来ると共に、案内治具の配設位置を容易に把握することが出来る。
【００１７】
本発明の第四の態様は、前記第一〜第三の何れか１つの態様に記載のものにおいて、前記本体部が粘着シートから形成されており、該粘着シートの粘着剤によって前記固着手段が構成されているものである。
【００１８】
本態様によれば、位置決め部材を布線図に貼着することで、容易に固着することが出来る。更に、本体部が粘着シートとされて撓み変形容易であることから、位置決め部材を貼着したまま布線図を巻いて保管しておくことも可能であり、再度布線図を使用する際にも、位置決め部材の再配置を不要とすることが出来る。
【００１９】
本発明の第五の態様は、前記第四の態様に記載のものにおいて、前記粘着シートが透明であるものである。
【００２０】
本態様によれば、位置決め部材で布線図が隠されることを防ぐことが出来る。なお、本態様における透明とは、無色透明のみならず、有色透明も含む。
【００２１】
本発明の第六の態様は、前記第四又は第五の態様に記載のものにおいて、前記粘着シートに位置決め表示が設けられているものである。
【００２２】
本態様によれば、位置決め表示を用いることによって、位置決め部材を布線図上の目的とする位置により容易に且つ精度良く配設することが出来る。なお、位置決め表示としては、位置決め部材を布線図上に位置決めする際の指標となり得る表示であれば任意の表示が可能であり、直線や曲線等の図形に限らず、任意のマークや文字、記号等でも良い。また、位置決め表示の形成方法も何ら限定されず、印刷や刻設等、各種の方法が採用され得る。
【００２３】
なお、本態様において、より好ましくは、粘着シートが透明であると共に、位置決め表示が粘着面側に形成されて、粘着シートを透過して視認可能とされる。このようにすれば、案内治具との擦れや、ワイヤハーネスの組立時に用いられる液剤等の付着から位置決め表示を保護することが出来る。
【００２４】
本発明の第七の態様は、前記第一〜第三の何れか１つの態様に記載のものにおいて、前記本体部が磁石から形成されており、布線図が設けられた磁性体からなる図板本体に磁着されることによって前記固着手段が構成されているものである。
【００２５】
本態様によれば、固着手段として磁石を用いたことによって、布線図を傷つけることなく、容易に着脱することが出来る。また、磁石を用いていることから、位置決め部材を繰り返して使用することが出来る。なお、磁石としては、永久磁石に限定されず、電磁石等でも良い。
【００２６】
本発明の第八の態様は、前記第七の態様に記載のものにおいて、前記本体部が、前記案内治具の台座の外周縁部の全周に亘って沿う枠形状を有していると共に、前記本体部には、複数の位置決め用糸が前記本体部の中心で交差して架設されているものである。
【００２７】
本態様によれば、複数の位置決め用糸の交点によって、本体部の中心を容易に把握することが出来る。これにより、位置決め部材を布線図上の目的の位置により容易且つ精度良く配設することが出来る。
【発明の効果】
【００２８】
本発明に従う位置決め部材においては、案内治具の台座に沿う形状の本体部に、布線図に対して取り外し可能に固着する固着手段を設けた。これにより、布線図を傷つけることなく位置決め部材を固着することが出来、案内治具の台座を本体部に沿って配設することで、案内治具を布線図上の目的とする位置に容易に且つ精度良く配置することが出来る。そして、使用後は布線図を損傷することなく取り外すことが可能であり、布線図を元に戻すことが出来る。
【図面の簡単な説明】
【００２９】
【図１】本発明の第一の実施形態としての位置決め部材と、案内治具および布線図を併せ示す斜視図。
【図２】図１に示した位置決め部材による案内治具の位置決め方法を説明するための側面図。
【図３】図１に示した位置決め部材による案内治具の位置決め状態を示す斜視図。
【図４】図１に示した位置決め部材が貼着された布線図の巻き取り状態を示す説明図。
【図５】本発明の第二の実施形態としての位置決め部材と、案内治具を併せ示す上面図。
【図６】本発明の第三の実施形態としての位置決め部材と、案内治具を併せ示す上面図。
【図７】本発明の第四の実施形態としての位置決め部材の布線図への貼着状態を示す斜視図。
【図８】本発明の第五の実施形態としての位置決め部材の布線図への貼着状態を示す斜視図。
【図９】本発明の第六の実施形態としての位置決め部材の布線図への貼着状態を示す斜視図。
【発明を実施するための形態】
【００３０】
以下、本発明の実施形態について、図面を参照しつつ説明する。
【００３１】
先ず、図１〜図３に、本発明の第一の実施形態に係る、ワイヤハーネスの案内治具の位置決め部材（以下、位置決め部材）１０を、布線図１２およびワイヤハーネスの案内治具（以下、案内治具）１４と併せ示す。
【００３２】
位置決め部材１０は、布線図１２に貼着されている。位置決め部材１０は、本体部１６の裏面２０に、固着手段としての粘着剤２２が塗布された構造とされており、本体部１６が、粘着シートから構成されている。本体部１６および粘着剤２２の材料は任意のものが選択可能である。本体部１６としては、好ましくは、耐水性、耐摩耗性に優れた材料が選択され、例えば、セロハン、ポリ塩化ビニル等の樹脂材料が採用され得るが、紙や布等も採用可能である。粘着剤２２としては、ゴム系、アクリル系、シリコーン系等、任意のものが採用可能である。従来から粘着シートにおいて行われているように、布線図１２からの剥離後に粘着剤２２が布線図１２に残らないように、粘着剤２２の凝集強さと、本体部１６と粘着剤２２との接着強さが、何れも粘着剤２２と布線図１２との接着強さよりも大きくなるように設計される。
【００３３】
本体部１６は薄肉のシート形状とされており、容易に撓み変形可能とされている。本体部１６は、後述する案内治具１４の台座３８を全周に亘って囲む枠形状とされており、中央に貫設された中央孔２４が、後述する台座３８の外周縁部４４に全周に亘って沿う同形状とされている。本実施形態における本体部１６は、後述する台座３８の形状に対応して、正方形の枠形状とされている。なお、本体部１６は、透明でも不透明でも良いし、有色でも無色でも良い。本実施形態においては、視認性を確保するために、布線図１２とは異なる色の有色透明が採用されている。
【００３４】
本体部１６には、複数の位置決め表示２６が設けられている。位置決め表示２６は、位置決め部材１０を布線図１２上に位置決めする際の指標となり得る表示であれば何等限定されることはなく、線等の図形に限らず、例えば三角や矢印等のマークや、文字および記号等でも良い。本実施形態における各位置決め表示２６は、本体部１６の各辺の中央を通る直線とされており、各位置決め表示２６の延長線が本体部１６の幾何中心で交差することで、位置決め部材１０の中心を指し示すようにされている。なお、位置決め表示２６は、本体部１６の表面２８に印刷して形成しても良いが、好ましくは、本体部１６の裏面２０に印刷されて、透明とされた本体部１６を透過して表面２８側から視認可能とされる。このようにすれば、案内治具１４との擦れや、ワイヤハーネス製造時に用いられる各種の液剤等から位置決め表示２６を保護することが出来る。
【００３５】
このような構造とされた位置決め部材１０は、布線図１２に貼着される。なお、図示は省略するが、位置決め部材１０は、従来公知の粘着シートと同様、粘着剤２２側に剥離紙が貼着された状態で提供され、剥離紙から剥がされることで粘着剤２２が露出されて布線図１２に貼着される。剥離紙は、本体部１６と同一の枠形状とされて、剥離紙を含む位置決め部材１０が予め枠形状をもって提供されていても良いが、取扱い性を向上するため、好ましくは、剥離紙は平面形状とされて、平面状の剥離紙から枠形状の位置決め部材１０が剥離される。
【００３６】
布線図１２は、フィルムや紙などから形成されたシートであり、図板本体３０上に接着やテープ等で貼着されている。図板本体３０は、例えば鉄板等の磁性体によって形成されており、作業台上に載置されている。布線図１２には、目的とする布線の原寸図３２が記載されており、原寸図３２中には、案内部材１４の後述するガイド部３６の位置を示すガイド位置表示３４が記載されている。
【００３７】
そして、布線図１２に、位置決め部材１０が粘着剤２２によって貼着されている。位置決め部材１０は、本体部１６の中心を布線図１２のガイド位置表示３４に位置合わせすると共に、本体部１６における一対の対辺が原寸図３２に示された布線の方向と直交するように布線図１２上に配設される。本体部１６の中心とガイド位置表示３４の位置合わせは、位置決め表示２６で本体部１６の幾何中心を把握出来ることにより、容易に行なうことが出来る。勿論、布線図１２上の貼着位置をルーラ等で測りつつ位置決め部材１０を貼着しても良い。
【００３８】
このように布線図１２に貼着された位置決め部材１０の中央孔２４内に、案内治具１４が配置される。案内治具１４は本発明に含まれるものではないことから、概略を説明するに留めるが、案内治具１４は、図示しないワイヤハーネスを引っ掛けて案内するガイド部３６が台座３８に支持された構造とされている。ガイド部３６はＵ字形状を有しており、その中心軸上にロッド４０が突出して設けられている。台座３８は、正方形の板形状とされている。そして、台座３８の中心にロッド４０が突設されることにより、ロッド４０を介して、ガイド部３６が台座３８に支持されている。また、台座３８においてガイド部３６と反対側の面には、シート形状の永久磁石からなるマグネットシート４２が設けられている。
【００３９】
このような案内治具１４の台座３８が、位置決め部材１０の中央孔２４内に配置される。図２に示すように、案内治具１４の配置は、案内治具１４の台座３８を傾斜した状態で中央孔２４に挿入すると共に、図中矢印１で示すように、台座３８を布線図１２上でスライドさせて、台座３８の外周縁部４４を位置決め部材１０に係止して位置決めする。この状態で図中矢印２で示すように、台座３８のマグネットシート４２を布線図１２に重ね合わせることで容易に行なうことが出来る。そして、案内治具１４のマグネットシート４２が、布線図１２を挟んで図板本体３０に磁着される。これにより、図３に示したように、案内治具１４は、台座３８の全周が本体部１６で囲まれて、ガイド部３６の中心軸を布線図１２のガイド位置表示３４（図１参照）と位置合わせされた状態で、布線図１２上の目的とする位置に配設される。
【００４０】
本実施形態に従う構造とされた位置決め部材１０によれば、案内治具１４の台座３８を配設したい場所に中央孔２４を位置合わせして布線図１２に貼着すると共に、案内治具１４の台座３８を中央孔２４内に位置合わせすることによって、案内治具１４を、布線図１２上の目的とする位置に容易に位置合わせして配設することが出来る。これにより、台座３８で布線図１２のガイド位置表示３４が隠される場合でも、ガイド部３６の中心軸をガイド位置表示３４と容易に位置合わせすることが出来る。
【００４１】
さらに、位置決め部材１０が粘着シートで形成されていることから、布線図１２に貼着して容易に固着することが出来ると共に、布線図１２を傷つけることなく固着することが出来る。そして、薄肉で撓み変形も容易であることから、例えば図４に示すように、位置決め部材１０を貼着したままで布線図１２を巻いて保管しておくことも可能であり、繰り返して布線図１２を使用する場合に、その都度位置決め部材１０を固着するような手間も不要とすることが出来る。また、位置決め部材１０が不要となった場合には、布線図１２から引き剥がすことで、布線図１２を損傷することなく元の状態に戻すことが出来る。
【００４２】
更にまた、位置決め部材１０が透明とされていることから、位置決め部材１０を透過して原寸図３２を視認することが可能であり、位置決め部材１０を布線図１２上の目的とする位置により容易に且つ精度良く配設することが出来る。加えて、位置決め表示２６が設けられていることにより、位置決め部材１０の中心が容易に把握できるようにされており、より位置精度良く配設することが出来る。
【００４３】
次に、図５に、本発明の第二の実施形態としての位置決め部材５０を示す。なお、以下の説明において、前記第一の実施形態と同様の構造とされた部材および部位には、図中に前記第一の実施形態と同一の符号を付することにより、その説明を省略する。
【００４４】
本実施形態の位置決め部材５０は、前記第一の実施形態としての位置決め部材１０の本体部１６の形状が異ならされたものである。位置決め部材５０の本体部１６は、コの字形状とされている。このような位置決め部材５０は、コの字形状の開口側（図５中、上側）から案内治具１４の台座３８をスライドさせて本体部１６内に嵌め入れるようにして、本体部１６の縁部５２に係止させることで、台座３８を位置決めすることが出来る。本実施形態から明らかなように、本体部１６は必ずしも台座３８の全周に亘って連続する枠形状に限定されず、台座３８の外周縁部４４に部分的に沿う形状でも良い。
【００４５】
次に、図６に、本発明の第三の実施形態としての位置決め部材６０を示す。本実施形態においては、二つの位置決め部材６０，６０によって、一つの案内治具１４が位置決めされている。これら位置決め部材６０，６０は互いに同形状とされている。位置決め部材６０は、前記第一の実施形態としての位置決め部材１０の本体部１６の形状が異ならされたものであり、本実施形態における本体部１６は、Ｌ字形状とされている。このような一対の位置決め部材６０，６０が、案内治具１４の台座３８における一対の角部６２，６２と対応する位置で、角部６２，６２の外周縁部４４に沿う向きで配設されている。そして、案内治具１４の台座３８の角部６２，６２を位置決め部材６０，６０にそれぞれ係止することによって、案内治具１４を位置決めすることが出来る。本実施形態から明らかなように、複数の位置決め部材６０，６０を用いて１つの案内治具１４を位置決めするようにしても良い。
【００４６】
次に、図７に、本発明の第四の実施形態としての位置決め部材７０を示す。本実施形態においては、本体部１６の表面に、転写シート７２が貼着されている。転写シート７２は透明のフィルムであり、本体部１６の外形と等しい正方形のシート形状とされている。転写シート７２には、本体部１６の中心で交差する十字形の位置決め表示７４が印刷等により形成されている。なお、位置決め表示７４は、転写シート７２の表面および裏面の何れに印刷されていても良い。図示は省略するが、転写シート７２の裏面には、容易に剥離可能な接着力を有する粘着層が設けられており、この粘着層によって、本体部１６が貼着されている。なお、本体部１６と転写シート７２との接着力は、本体部１６の裏面２０に設けられた粘着剤２２と布線図１２との接着力よりも小さく設定されている。
【００４７】
このような位置決め部材７０は、前記第一の実施形態等と同様にして、図７（ａ）に示すように、本体部１６が、布線図１２の目的とする位置に貼着される。そして、図７（ｂ）に示すように、転写シート７２が本体部１６から剥離されて取り除かれることにより、本体部１６の中央孔２４が露出して中央孔２４内に案内治具１４が配置可能とされる。
【００４８】
本実施形態の位置決め部材７０によれば、転写シート７２の位置決め表示７４が本体部１６の中央孔２４の内部に設けられることから、本体部１６の中心を明確に表示することが出来る。これにより、本体部１６の中心を布線図１２のガイド位置表示３４と容易に位置合わせすることが出来る。
【００４９】
次に、図８に、本発明の第五の実施形態としての位置決め部材８０を示す。位置決め部材８０の本体部１６は、薄肉でシート状の永久磁石から形成されている。本体部１６は、案内治具１４（図１等参照）の台座３８と略等しい大きさの中央孔２４が貫設された、台座３８の外周縁部４４の全周に亘って沿う正方形の枠形状とされている。
【００５０】
本体部１６には、２本の位置決め用糸８２，８２が設けられている。これら位置決め用糸８２は非磁性材料から形成された細糸とされており、例えばナイロン等から形成されている。位置決め用糸８２は、その両端部８４，８４が本体部１６の裏面に重ね合わされて接着されることで、本体部１６の各辺の中央を通って中央孔２４内に架設されて、本体部１６の幾何中心で十字状に交差されている。
【００５１】
位置決め部材８０は、位置決め用糸８２，８２の交点を、ガイド位置表示３４に位置合わせして、本体部１６が布線図１２を挟んで図板本体３０に磁着されることにより、布線図１２上に配設される。このように、本実施形態においては、本体部１６を形成する永久磁石によって固着手段が構成されている。そして、中央孔２４内に案内治具１４の台座３８を嵌め入れるように挿入することによって、案内治具１４を布線図１２上の目的とする位置に配設することが出来る。
【００５２】
本実施形態においては、本体部１６を永久磁石で形成して図板本体３０に磁着することで、布線図１２を傷つけることなく、布線図１２への固定と取り外しを行なうことが出来る。また、磁石を用いたことから、繰り返して使用することが出来、位置ずれした場合にも容易に修正することが出来る。
【００５３】
さらに、本体部１６が薄肉のシート形状とされていることから、加工が容易で、安価に製造することが出来る。更に、未使用時には複数の位置決め部材８０を重ねてコンパクトに保管することも出来る。
【００５４】
加えて、本体部１６には、２本の位置決め用糸８２，８２が架設されており、本体部１６の幾何中心で互いに交差されている。これにより、位置決め部材８０の中心を容易に視認することが出来て、位置決め部材８０の中心を布線図１２のガイド位置表示３４と容易に位置合わせすることが出来る。
【００５５】
次に、図９に、本発明の第六の実施形態としての位置決め部材９０を示す。位置決め部材９０は、前記第五の実施形態（図８参照）における本体部１６が、所定の厚さ寸法を有するブロック状の永久磁石で形成されたものである。このようにすれば、より強固な磁着力を得ることが出来る。また、中央孔２４が適当な深さをもって形成されることから、台座３８を中央孔２４に嵌め入れることにより、案内治具１４の位置決め部材９０に対する位置ずれを防止することも出来る。本実施形態から明らかなように、本体部は、シート形状に限定されない。なお、本体部を磁石で形成する場合でも、本体部は枠形状に限定されるものではなく、例えば図５や図６に示した形状等に形成することも勿論可能である。
【００５６】
以上、本発明の実施形態について詳述したが、本発明はその具体的な記載によって限定されない。位置決め部材における本体部の具体的形状は、用いられる案内治具の台座の形状に応じて各種の形状が任意に採用可能であって、前記各実施形態に示した形状に限定されないことは勿論である。例えば、案内治具の台座が円板形状である場合には、該円板を全周に亘って囲むリング形状をもって本体部を形成しても良いし、円板状の台座に部分的に沿う円弧形状にする等しても良い。
【００５７】
また、位置決め表示は必ずしも必要ではないが、位置決め表示の形成方法についても何等限定されるものではなく、印刷のみならず、刻設等で形成しても良い。更に、前記第五および第六の実施形態のように、磁石で形成された本体部に、位置決め用糸に代えて、或いは加えて、位置決め表示を設けても良い。
【００５８】
更にまた、本体部を布線図に固着する固着手段は、前記実施形態のものに限定されない。例えば、本体部を合成樹脂から形成すると共に、固着手段として引き剥がし可能な程度の小さな接着力の接着剤を用いて、本体部を布線図に引き剥がし可能に接着する等しても良い。
【符号の説明】
【００５９】
１０，５０，６０，７０，８０，９０：位置決め部材、１２：布線図、１４：ワイヤハーネスの案内治具、１６：本体部、２０：裏面、２２：粘着剤（固着手段）、２４：中央孔、２６，７４：位置決め表示、２８：表面、３０：図板本体、３２：原寸図、３４：ガイド位置表示、３６：ガイド部、３８：台座、４２：マグネットシート、４４：外周縁部、７２：転写シート、８２：位置決め用糸
【図１】
2014002912.tif 000003
【図２】
2014002912.tif 000004
【図３】
2014002912.tif 000005
【図４】
2014002912.tif 000006
【図５】
2014002912.tif 000007
【図６】
2014002912.tif 000008
【図７】
2014002912.tif 000009
【図８】
2014002912.tif 000010
【図９】
2014002912.tif 000011